(57)【要約】【課題】  簡単な構成でポンプと吸込み口部とを連通接続する吸込み配管の途中にエア溜まりが生じないように配管でき、ポンプのエアロックの発生を防止する。【解決手段】  浴槽２の一壁面部の外面側にポンプ６、噴射口部３、吸込み口部１を横方向に間隔を隔てて配置する。ポンプ６と吸込み口部１とを連通接続する吸込み配管９の途中に空気混入用エゼクタ部５を設ける。ポンプ６における吸込み配管９との連通接続部を、噴射口部３よりも少なくとも吸込み配管９の直径を越えた寸法上方にずらせて位置させる。吸込み口部１の位置を噴射口部３の高さと同じ高さ又は噴射口部３より低い位置とする。吸込み配管９を噴射口部３の上に位置させた状態で位置決め治具１０で吸込み配管９を噴射口部３に接続する。吸込み配管９をポンプ６側程上り傾斜させる。【選択図】図１
2008005917.tif 000002
【特許請求の範囲】
【請求項１】
一端部の吸込み口部から浴槽内の湯水を吸い込んで他端の噴射口部から噴出する循環流路に、空気混入用エゼクタ部、ポンプ、気液溶解タンクを設けて微細気泡を発生して循環流路の端部の噴射口部から浴槽内に噴出するようにした微細気泡発生装置を備えた微細気泡発生装置付き浴槽において、浴槽の一壁面部の外面側にポンプ、噴射口部、吸込み口部を横方向に間隔を隔てて配置し、上記循環流路の一部を構成するポンプと吸込み口部とを連通接続する吸込み配管の途中に空気混入用エゼクタ部を設け、ポンプにおける吸込み配管との連通接続部の高さを、噴射口部の高さよりも少なくとも吸込み配管の直径を越えた寸法高く位置させ、吸込み口部の高さを噴射口部の高さと同じ高さ又は噴射口部より低い位置とし、吸込み配管を噴射口部の上に位置させた状態で位置決め治具により吸込み配管を噴射口部に接続して吸込み配管の位置決め治具との接続部分と吸込み口部までの間を吸込み口部側程下り傾斜させると共に吸込み配管の位置決め治具との接続部分とポンプまでの間をポンプ側程上り傾斜させて成ることを特徴とする微細気泡発生装置付き浴槽。
【発明の詳細な説明】
【技術分野】
【０００１】
本発明は、微細気泡発生装置付き浴槽、より詳しくは微細気泡発生装置付き浴槽における配管構造に関するものである。
【背景技術】
【０００２】
従来から一端部の吸込み口部から浴槽内の湯水を吸い込んで他端の噴射口部から噴出する循環流路に、空気混入用エゼクタ部、ポンプ、気液溶解タンクを設けて微細気泡を発生して循環流路の端部の噴射口部から浴槽内に噴出するようにした微細気泡発生装置を備えた微細気泡発生装置付き浴槽が特許文献１等により知られている。
【０００３】
上記特許文献１に示された従来例にあっては、配管、保守、点検等を容易にするため、浴槽の一壁面部の外面側にポンプ、噴射口部、吸込み口部を横方向に間隔を隔てて配置してあるが、循環流路の一部を構成するポンプと吸込み口部とを連通接続する吸込み配管はポンプ側が上、吸込み口部側が下となるように勾配をつける必要があり、このため、吸込み配管の吸込み口部への接続に当たって、所定の勾配を持たせるように接続する必要があり、この所定の勾配を持たせるように接続する作業が面倒であった。また、循環流路の一部を構成するポンプと吸込み口部とを連通接続する吸込み配管は途中で噴射口部を上方に乗り越えるようにして配管するため、循環流路の一部の噴射口部の上方に位置する部分が部分的にポンプにおける吸込み配管との連通接続部の高さとほぼ同じ高さ又は少し上にずれて位置する場合が生じ、このため、吸込み配管がポンプから吸込み口部にかけて全長にわたって下り勾配とならず、部分的に水平又は上に突となった部分ができて空気溜まりが生じてしまい、この空気溜まりに溜まった大きな塊となったエアをポンプが吸引してエアロック（ポンプのエアがみによる運転停止）が生じてしまうという問題があった。
【特許文献１】特開２００５−９５３３６号公報
【発明の開示】
【発明が解決しようとする課題】
【０００４】
本発明は上記の従来の問題点に鑑みて発明したものであって、簡単な構成で循環流路の一部を構成するポンプと吸込み口部とを連通接続する吸込み配管の途中にエア溜まりが生じないように配管でき、ポンプのエアロックの発生を防止することができる微細気泡発生装置付き浴槽を提供することを課題とするものである。
【課題を解決するための手段】
【０００５】
上記課題を解決するために本発明に係る微細気泡発生装置付き浴槽は、一端部の吸込み口部１から浴槽２内の湯水を吸い込んで他端の噴射口部３から噴出する循環流路４に、空気混入用エゼクタ部５、ポンプ６、気液溶解タンク７を設けて微細気泡を発生して循環流路４の端部の噴射口部３から浴槽２内に噴出するようにした微細気泡発生装置８を備えた微細気泡発生装置８付き浴槽２において、浴槽２の一壁面部の外面側にポンプ６、噴射口部３、吸込み口部１を横方向に間隔を隔てて配置し、上記循環流路４の一部を構成するポンプ６と吸込み口部１とを連通接続する吸込み配管９の途中に空気混入用エゼクタ部５を設け、ポンプ６における吸込み配管９との連通接続部の高さを、噴射口部３の高さよりも少なくとも吸込み配管９の直径を越えた寸法高く位置させ、吸込み口部１の高さを噴射口部３の高さと同じ高さ又は噴射口部３より低い位置とし、吸込み配管９を噴射口部３の上に位置させた状態で位置決め治具１０により吸込み配管９を噴射口部３に接続して吸込み配管９の位置決め治具１０との接続部分と吸込み口部１までの間を吸込み口部１側程下り傾斜させると共に吸込み配管９の位置決め治具１０との接続部分とポンプ６までの間をポンプ６側程上り傾斜させて成ることを特徴とするものである。
【０００６】
このような構成とすることで、ポンプ６と吸込み口部１とを吸込み配管９で連通接続すると共に該吸込み配管９の途中が噴射口部３の上を越えるように配管するに当って、吸込み配管９の途中の噴射口部３の上を越える部位の高さ位置を位置決めできて、吸込み配管９の一部が水平となったり、部分的に上方に突となったりすることなく全体として吸込み口部１側からポンプ６側にかけて上り傾斜するように配管でき、吸込み配管９の途中に空気溜まりが生じないようにできる。
【発明の効果】
【０００７】
本発明は、吸込み配管を噴射口部の上に位置させた状態で位置決め治具により吸込み配管を噴射口部に接続するので、吸込み配管の途中の噴射口部の上を越える部位の高さ位置を位置決めできて、吸込み配管の一部が水平となったり、部分的に上方に突となったりすることなく全体として吸込み口部側からポンプ側にかけて上り傾斜するように配管でき、吸込み配管の途中に空気溜まりが生じないようにでき、空気溜まりに溜まった大きな塊となったエアをポンプが吸引してエアロック（ポンプのエアがみによる運転停止）が生じるというトラブルが発生しないようにできる。
【発明を実施するための最良の形態】
【０００８】
以下、本発明を添付図面に示す実施形態に基いて説明する。
【０００９】
微細気泡発生装置８は一端部の吸込み口部１から浴槽２内の湯水を吸い込んで他端の噴射口部３から噴出する循環流路４に、空気混入用エゼクタ部５、ポンプ６、気液溶解タンク７を設けて構成してある。図１に示すように浴槽２の長辺側の一壁面部の外面側にポンプ６、噴射口部３、吸込み口部１が横方向に間隔を隔てて配置してある。すなわち、浴槽２の長辺側の一側壁の外面側の横方向の略中央部分の下部に位置するように吸込み口部１が浴槽２に取付けてあって該吸込み口部１の開口が浴槽２内に連通してあり、該浴槽２の長辺側の一側壁の外面側の横方向の一端部（つまり長辺側の一側壁と短辺側の一側壁とのなすコーナ部分）にポンプ６が配置してあり、浴槽２の長辺側の一側壁の外面側の上記ポンプ６を配置した部分と吸込み口部１を配置した部分との間の略中間部分の下部に位置するように噴射口部３が浴槽２に取付けてあって該噴射口部３の開口が浴槽２に連通してある。
【００１０】
吸込み口部１は一端部が吸込み口となった有底の筒部１ａの吸込み口側を浴槽２の側壁に取付けてあり、また、噴出口部３は一端部が噴出口となった有底の筒部３ａの噴出口側を浴槽２の側壁に取付けてある。
【００１１】
また、浴槽１の上記ポンプ６を配置した浴槽２の長辺側の一側壁と短辺側の一側壁とのなすコーナ部分の短辺側の一側壁端部の外側には（つまり、ポンプ６よりも奥側には）気液溶解タンク７が配置してある。
【００１２】
吸込み口部１の筒部１ａの側部とポンプ６とが吸込み配管９により連通接続してあり、ポンプ６と気液溶解タンク７とがポンプ・タンク間配管１１により連通接続してあり、気液溶解タンク７と噴射口部３の筒部３ａの側部とが噴出配管１２により連通接続してあり、これら吸込み配管９、ポンプ・タンク間配管１１、噴出配管１２により循環流路４が構成してある。
【００１３】
また、上記循環流路４の一部を構成するポンプ６と吸込み口部１とを連通接続する吸込み配管９の途中に空気混入用エゼクタ部５を設けてあり、該空気混入用エゼクタ部５に空気吸入管１３の下端部が連通接続してあり、空気吸入管１３の上端部に空気取込み部１４が設けてあって、該空気取込み部１４が浴槽１の上端部のフランジ部付近に位置させてある。
【００１４】
上記の構成の微細気泡発生装置８付きの浴槽２は以下のようにして微細気泡を発生して浴槽２内の湯水を白濁湯とするようになっている。
【００１５】
すなわち、ポンプ６を運転すると、循環流路４に吸込み口部１から浴槽２内の湯水が吸込まれる。このように湯水が循環流路４内を流れると、空気混入用エゼクタ部５を流れる水流によって空気吸入管１３から空気が吸込まれて浴水中に空気が混入されることで空気混合湯水となり、この空気混合湯水がポンプ６により加圧されて気液溶解タンク７に送られ、気液溶解タンク７でバブリングされて溶解されることで空気が湯水内に溶解して空気溶解湯水となり、この空気溶解湯水が噴射口部３から噴出する際に減圧されることで、湯水に溶解していた空気が平均気泡径が約１０μｍ〜２０μｍの微細気泡となって析出して浴槽２内に吐出する。このようにして生成された微細気泡を浴槽２内に吐出すると、平均気泡径が約１０μｍ〜２０μｍの微細気泡は気泡径が極めて小さくて分散性、浮遊性に優れているため、水面に上昇して破泡するまでに時間がかかり、浴槽２内の湯水の隅々まで隈なく分散して牛乳風呂のような不透明の乳白色の白濁湯となる。
【００１６】
上記のような微細気泡発生装置８付きの浴槽２において、本発明においては、ポンプ６のエアロックを防止するために以下のような配管構造となっている。以下、エアロックを防止するための配管構造につき説明する。
【００１７】
吸込み配管９のポンプ６への連通接続部の高さは、噴射口部３の高さよりも少なくとも吸込み配管９の直径を越えた寸法高い位置となっており、また、吸込み口部１の高さは噴射口部３の高さと同じ高さ又は噴射口部３より低い位置となっている。なお、吸込み口部１の高さは噴射口部３の高さと同じ高さ又は噴射口部３より低い位置としたのは、浴槽２内の湯水中に噴出した微細気泡は発生後上昇していくので、より下層の未白濁湯を吸水して微細気泡を発生させて上方より噴射するのが白濁時間が短くてすむためである。
【００１８】
ここで、吸込み口部１とポンプ６とを接続する吸込み配管９は噴射口部３の筒部３ａの上に位置させて配管する。この場合、吸込み配管９の噴射口部３の筒部３ａの上を越している部位が吸込み配管９のポンプ６への接続部位とほぼ同じ高さとなったり、あるいは少し高くなったりするおそれがある。つまり吸込み配管９の一部が略水平となったり、あるいは、一部が上方に突となったりするおそれがある。このように吸込み配管９の一部が略水平となったり、あるいは、一部が上方に突となったりすると空気溜まりが生じて空気溜まりに溜まった大きな塊となったエアをポンプ６が吸引してエアロック（ポンプのエアがみによる運転停止）が生じてしまう。このため、吸込み配管９に空気溜まりが生じないように吸込み配管９が一部水平となったり、あるいは途中が一部上方に突となったりするのを防止する必要がある。
【００１９】
そこで、本発明においては、吸込み配管９の略中間部分が噴射口部３の上方位置で上に上がり過ぎないように位置決め治具１０により吸込み配管９を噴射口部３に接続して、吸込み配管９の途中の上下方向の位置決めをするようになっている。
【００２０】
図３には位置決め治具１０の一実施形態が示してあり、上部に上方に開口した半円状をした弾性を有する上把持部１０ａが設けてあると共に下部に下方に開口した半円状をした弾性を有する下把持部１０ｂが設けてある。上記半円状の上把持部１０ａと半円状の下把持部１０ｂとはその半円の軸方向が平面視で９０°ずれている。つまり、上把持部１０ａは半円の軸方向が左右方向となっており、下把持部１０ｂは半円の軸方向が前後方向となっている。
【００２１】
上記位置決め治具１０の上部把持部１０ａを図２に示すように吸込み配管９の噴射口部３の上方に位置する部分に嵌め込むと共に下部把持部１０ｂを浴槽２に取付けた噴射口部３の筒部３ａに嵌め込むことで、吸込み配管９を噴射口部３の上に位置させた状態で位置決め治具１０により吸込み配管９を噴射口部３に接続して吸込み配管９の中間部分の上下方向の位置決めを行う。これにより、吸込み配管９の位置決め治具１０との接続部分と吸込み口部１までの間を吸込み口部１側程下り傾斜させると共に吸込み配管９の位置決め治具１０との接続部分とポンプ６までの間をポンプ６側程上り傾斜させることができ、吸込み配管９が中間部分において一部水平となったり、部分的に上方に突となったりすることなく全体として吸込み口部１側からポンプ６側にかけて上り傾斜するように配管できることになり、吸込み配管９の途中に空気溜まりが生じなることがなく、したがって、空気溜まりに溜まった大きな塊となったエアをポンプが吸引してエアロック（ポンプのエアがみによる運転停止）を起こすというような事態が生じないようにでき、ポンプ６を安定して運転して安定して浴槽２内の湯水を白濁湯とすることができる。
【図面の簡単な説明】
【００２２】
【図１】本発明の正面図である。
【図２】同上の位置決め治具により吸込み配管を噴射口部に接続して位置決めした部分の断面図である。
【図３】同上に用いる位置決め治具を示し、（ａ）は正面図であり、（ｂ）は側面図である。
【符号の説明】
【００２３】
１  吸込み口部
２  浴槽
３  噴射口部
４  循環流路
５  空気混入用エゼクタ部
６  ポンプ
７  気液溶解タンク
８  微細気泡発生装置
９  吸込み配管
１０  位置決め治具
【図１】
2008005917.tif 000003
【図２】
2008005917.tif 000004
【図３】
2008005917.tif 000005